(57)【要約】
【課題】　磁気テープ装置において、磁気テープにテンションを付与することに用いられるガイドポストとテープカセットとの位置関係が一定に保たれるようにして磁気テープの走行安定性を向上させる。単体部品としてのガイドポストを不要にする。
【解決手段】　テープカセット１を搬入搬出するスライダ９に可動ガイドポスト６１を設ける。可動ガイドポスト６１は、スライダ９がカセット搬入位置に達することによって磁気テープＴにテンションを付与することに役立てられる。可動ガイドポスト６１が、磁気テープの走行路を規制する段付面６２を有している。
【選択図】　　　　図１
0003099768.tif 000002
【実用新案登録請求の範囲】
【請求項１】
テープカセットから引き出されてテンションポストで押された磁気テープを、テンションポストによる押圧位置近傍の定位置で支持することにより磁気テープにテンションを付与する固定ガイドポストがシャーシに立設されていると共に、上記テープカセットが着脱される初期位置とテープカセットを磁気テープが出し入れされるセット位置に配備するカセット搬入位置との間で往復移動可能なスライダーを備え、そのスライダは、テープカセットをセット位置に搬入することによって上記固定ガイドポストの近傍箇所に進入するようになっている磁気テープ装置において、
　シャーシに固定されている上記固定ガイドポストを抹消する代わりに、スライダがテープカセットをセット位置に搬入することによって上記固定ガイドポストの近傍箇所に進入したときに、抹消した上記固定ガイドポストの元の立設箇所に配備されてその固定ガイドポストの代用となる可動ガイドポストを備えた突出片がそのスライダに付加され、上記可動ガイドポストが、セット位置に搬入されたテープカセットから引き出された磁気テープの走行路を規制する段付面を有していると共に、その段付面が上記突出片の表面によって形成されていることを特徴とする磁気テープ装置。
【請求項２】
テープカセットから引き出されてテンションポストで押された磁気テープを、テンションポストによる押圧位置近傍の定位置で支持することにより磁気テープにテンションを付与する固定ガイドポストがシャーシに立設されていると共に、上記テープカセットが着脱される初期位置とテープカセットを磁気テープが出し入れされるセット位置に配備するカセット搬入位置との間で往復移動可能なスライダーを備え、そのスライダは、テープカセットをセット位置に搬入することによって上記固定ガイドポストの近傍箇所に進入するようになっている磁気テープ装置において、
　シャーシに固定されている上記固定ガイドポストを抹消する代わりに、上記スライダに、その固定ガイドポストの代用となる可動ガイドポストを追加したことを特徴とする磁気テープ装置。
【請求項３】
スライダがテープカセットをセット位置に搬入することによって上記固定ガイドポストの近傍箇所に進入したときに、抹消した上記固定ガイドポストの元の立設箇所に配備される上記可動ガイドポストを備えた突出片がそのスライダに付加されている請求項２に記載した磁気テープ装置。
【請求項４】
上記可動ガイドポストが、セット位置に搬入されたテープカセットから引き出された磁気テープの走行路を規制する段付面を有する請求項３に記載した磁気テープ装置。
【考案の詳細な説明】
【技術分野】
【０００１】
　本考案は、磁気テープ装置、詳しくは、テープカセットから引き出されてローディングされた磁気テープにテンションを付与する機能を発揮する固定ガイドポストを備えた磁気テープ装置に関する。
【背景技術】
【０００２】
　図４はこの種の磁気テープ装置の概略構成を示した説明図である。図４において、１はテープカセットで、左右に振り分けてリール１ａ及びリール１ｂが配備されている。２，２はローディングポスト、３はヘッドシリンダである。ローディングポスト２，２は、セット位置（後述する）に搬入されたテープカセット１からリール１ａ又はリール１ｂに巻装されている磁気テープＴを引き出してヘッドシリンダ３に巻き掛けるというテープローディングを行う作用を担っている。また、ローディングポスト２，２によってローディングされた磁気テープＴの記録面には、全幅消去ヘッド４１、音声消去ヘッド４２、コントロールヘッド４３などが臨む。さらに、その磁気テープＴに対して、キャプスタン５とこのキャプスタン５に磁気テープＴを押し付けるピンチローラ５１とによって所定の走行力が付与されると共に、磁気テープＴには、固定ガイドポスト６とテンションポスト７との共働作用によって所定のテンションが付与される。
【０００３】
　この磁気テープ装置において、固定ガイドポスト６とテンションポスト７との共働作用によって所定のテンションが付与され、かつ、キャプスタン５とピンチローラ５１とにより挾まれて走行力が付与された磁気テープＴは、全幅消去ヘッド４１、音声消去ヘッド４２、コントロールヘッド４３などによってその記録面に対する所定の処理が行われると共に、ヘッドシリンダに内蔵されている回転磁気ヘッド（不図示）によって記録面に対する記録又は再生の処理が行われる。
【０００４】
　図５は従来の磁気テープ装置の要部を概略的に示した平面図である。同図から類推できるように、従来、上記固定ガイドポスト６は、ヘッドシリンダ３などが取り付けられたシャーシ８に立設されていた。また、テンションポスト７は、テープカセット１から磁気テープＴが引き出されてローディングされる動作に併せて、矢印ａのように二点鎖線で示した退避位置から実線で示した動作位置まで往動することにより、磁気テープＴを固定ガイドポスト６の設置箇所よりも少し外方へ押すという動作を行う。テンションポスト７のこの動作により、磁気テープＴが固定ガイドポピスト６と全幅消去ヘッド４１とに押し付けられるのに伴ってその磁気テープＴに所要のテンションが付与されることになり、上記した記録面に対する記録又は再生などの所定の処理が適正に行われるようになる。
【０００５】
　一方、図５のように、この磁気テープ装置は、シャーシ８に具備された側板８１に沿って所定経路を移動可能に取り付けられたスライダ９を備えている。このスライダ９は左右に相対向状態で配備されている一対の枠体（図５には左側の枠体だけが示されている）でなり、それらの枠体のそれぞれは、箱形のテープカセット１の左右の端部を嵌脱可能に保持することができる形状、たとえば正面視コ字形に形成されている。このスライダ９は、テープカセット１を、磁気テープ装置の機体の前位置である初期位置と図５に示したカセット搬入位置との間で往復移動可能であり、初期位置ではテープカセット１を当該スライダ９に抜き差しすることよりテープカセット１が着脱され、カセット搬入位置ではテープカセット１をセット位置に配備する。そして、セット位置に配備されているテープカセット１に対して、ローディングポスト２が矢印ｂの方向に移動することによって上記したテープローディングが行われ、また、ローディングポスト２が反矢印ｂの方向に移動する動作に伴って磁気テープＴをテープカセット１に格納するというテープアンローディングが行われる。すなわち、セット位置に配備されているテープカセット１に対して磁気テープＴが出し入れされる。
【０００６】
　さらに、スライダ９についての初期位置とカセット搬入位置との間の往復移動経路は、初期位置とカセット搬入位置の上方の位置との間に亘る水平路と、カセット搬入位置の上方の位置とカセット搬入位置との間に亘る昇降路とによって形成されていて、スライダ９がテープカセット１をセット位置に搬入したときには、そのスライダ９が図５に示したように固定ガイドポスト６の近傍箇所に進入するようになっている。
【０００７】
　一方、先行例には、図５で説明したものと同様の作用を行う磁気記録再生装置についての記載がある（特許文献１参照）。すなわち、この先行例には、磁気テープにテンションを付与するための機構などが記載されていて、この機構には、図５で説明したところの、シャーシに立設された固定ガイドポストに相応する記載がなされている。
【０００８】
【特許文献１】特開平６−７６４３３号公報
【考案の開示】
【考案が解決しようとする課題】
【０００９】
　しかしながら、図５で説明した従来の磁気テープ装置では、固定ガイドポスト６がシャーシ８の定位置に加締め結合されているのに対し、テープカセット１は可動要素であるスライダ８によってセット位置まで搬入されるものであるので、スライダ８の動作に不可欠な遊びやがたつきなどに起因して、セット位置でのテープカセット１と固定ガイドポスト６との両者の位置精度をそれほど高く設定することができない。そのために、テープカセット１のセット位置でローディングされた磁気テープＴが、固定ガイドポスト６に設定されている適正な巻掛け箇所に対して位置ずれしてしまって磁気テープＴの走行安定性が損なわれるおそれがあった。
【００１０】
　また、磁気テープ装置の組立てに際して、固定ガイドポスト６をシャーシ８に立設させることが必要であるため、ガイドポスト６をシャーシ８に加締め結合するという煩わしい作業が必要になるだけでなく、シャーシ８を切り起こして固定ガイドポスト６を形成するということが困難であるために固定ガイドポスト６という単体部品が必ず余分に必要になり、それらのことが相乗して磁気テープ装置のコストダウンを図ることの障害になるという問題があった。
【００１１】
　本考案は以上の状況や問題に鑑みてなされたものであり、シャーシに立設されている固定ガイドポストを抹消することを基本とし、その代わりに、スライダに保持されたテープカセットに対する位置関係が常に一定に保たれるようなガイドポストを付加することによって、磁気テープの走行安定性が常に良好に保たれる磁気テープ装置を提供することを目的とする。
【００１２】
　また、本考案は、単体部品としてのガイドポストが必ず余分に必要になるという状況を改善することができるようにして、部品点数の削減によるコストダウンを図りやすい磁気テープ装置を提供することを目的とする。
【課題を解決するための手段】
【００１３】
　本考案に係る磁気テープ装置は、テープカセットから引き出されてテンションポストで押された磁気テープを、テンションポストによる押圧位置近傍の定位置で支持することにより磁気テープにテンションを付与する固定ガイドポストがシャーシに立設されていると共に、上記テープカセットが着脱される初期位置とテープカセットを磁気テープが出し入れされるセット位置に配備するカセット搬入位置との間で往復移動可能なスライダーを備え、そのスライダは、テープカセットをセット位置に搬入することによって上記固定ガイドポストの近傍箇所に進入するようになっている磁気テープ装置において、シャーシに固定されている上記固定ガイドポストを抹消する代わりに、上記スライダに、その固定ガイドポストの代用となる可動ガイドポストを追加した、というものである。
【００１４】
　これによれば、固定ガイドポストの代用となる可動ガイドポストが、テープカセットをセット位置まで搬入するためのスライダに付加されているので、スライダに保持されたテープカセットと可動ガイドポストとの位置関係が常に一定に保たれる。そのために、テープカセットのセット位置でローディングされた磁気テープが、可動ガイドポストに設定されている適正な巻掛け箇所に対して位置ずれしてしまうという事態が起こらなくなり、そのことが、磁気テープの走行安定性を向上させることに役立つ。また、可動ガイドポストは、単体部品としてスライダに付加することも、合成樹脂成形体でなるスライダに一体成形することも可能であり、後者の構成を採用することによって単体部品としての可動ガイドポストが不要になってそれだけ部品点数か削減される。
【００１５】
　本考案では、スライダがテープカセットをセット位置に搬入することによって上記固定ガイドポストの近傍箇所に進入したときに、抹消した上記固定ガイドポストの元の立設箇所に配備される上記可動ガイドポストを備えた突出片がそのスライダに付加されていることが望ましい。これによれば、テンションポストと可動ガイドポストとの位置関係が、従来の磁気テープ装置におけるテンションポストと固定ガイドポストとの位置関係と同様になるので、磁気テープにテンションを付与する機能が従来と同様に適切に果たされる。
【００１６】
　本考案では、上記可動ガイドポストが、セット位置に搬入されたテープカセットから引き出された磁気テープの走行路を規制する段付面を有するものであってもよい。これによれば、可動ガイドポストによって磁気テープの走行路を規制する作用が発揮される。
【００１７】
　本考案に係る磁気テープ装置は、テープカセットから引き出されてテンションポストで押された磁気テープを、テンションポストによる押圧位置近傍の定位置で支持することにより磁気テープにテンションを付与する固定ガイドポストがシャーシに立設されていると共に、上記テープカセットが着脱される初期位置とテープカセットを磁気テープが出し入れされるセット位置に配備するカセット搬入位置との間で往復移動可能なスライダーを備え、そのスライダは、テープカセットをセット位置に搬入することによって上記固定ガイドポストの近傍箇所に進入するようになっている磁気テープ装置において、シャーシに固定されている上記固定ガイドポストを抹消する代わりに、スライダがテープカセットをセット位置に搬入することによって上記固定ガイドポストの近傍箇所に進入したときに、抹消した上記固定ガイドポストの元の立設箇所に配備されてその固定ガイドポストの代用となる可動ガイドポストを備えた突出片がそのスライダに付加され、上記可動ガイドポストが、セット位置に搬入されたテープカセットから引き出された磁気テープの走行路を規制する段付面を有していると共に、その段付面が上記突出片の表面によって形成されている、という構成を採用することによっていっそう具体化される。この考案の作用は、後述する実施形態を参照して詳細に説明する。
【考案の効果】
【００１８】
　本考案に係る磁気テープ装置によれば、スライダに保持されたテープカセットと可動ガイドポストとの位置関係が常に一定に保たれるため、テープカセットのセット位置でローディングされた磁気テープが、可動ガイドポストに設定されている適正な巻掛け箇所に対して位置ずれしてしまうという事態が起こらなくなって磁気テープの走行安定性が向上する。また、合成樹脂成形体でなるスライダに可動ガイドポストを一体成形したものでは、単体部品としての可動ガイドポストが不要になってそれだけ部品点数か削減され、そのことが磁気テープ装置のコストダウンを図ることに役立つ。また、可動ガイドポストを単体部品としたものでも、その可動ガイドポストを、シャーシに組み付ける前の単体としてのスライダに取り付けることができるので、そのような組立て手順を採用することによって磁気テープ装置の組立て作業性が改善されるようになり、そのことも磁気テープ装置のコストダウンを図ることに役立つ。
【考案を実施するための最良の形態】
【００１９】
　図１は本考案に係る磁気テープ装置の概略構成を示した説明図である。図１の磁気テープ装置において、図５で説明した従来の磁気テープ装置と異なる点は、シャーシに固定されている固定ガイドポスト６（図５参照）を抹消してある点、その固定ガイドポスト６を抹消したことの代わりに、その代用となる可動ガイドポスト６１をスライダ９に付加してある点だけである。具体的には、スライダ９の片側のコ字形の枠体の底板部９１に、抹消した固定ガイドポストの元の立設箇所へ延出する突出片９２を一体に付加し、その突出片９２に可動ガイドポスト６１を垂直に立設してあり、その可動ガイドポスト６１の立設箇所は、スライダ９がテープカセット１をセット位置に搬入することによって抹消した固定ガイドポスト６１の立設箇所の近傍箇所に進入したときに、抹消した固定ガイドポストの元の立設箇所に位置する箇所になっている。その他の事項は、図５で説明したところと同様であるので、説明の重複を避けるため、同一部分に同一符号を付すことによって詳細説明を省略する。
【００２０】
　この構成であれば、固定ガイドポスト６の代用となる可動ガイドポスト６１が、テープカセット１をセット位置まで搬入するためのスライダ９に付加されているので、スライダ９に保持されたテープカセット１と可動ガイドポスト６１との位置関係が常に一定に保たれる。そのために、テープカセット１のセット位置でローディングされた磁気テープＴが、可動ガイドポスト９に設定されている適正な巻掛け箇所に対して位置ずれしてしまうという事態が起こらないので、磁気テープＴの走行安定性が向上する。
【００２１】
　特に、この実施形態では、スライダ９がテープカセット１をセット位置に搬入することによって、抹消した固定ガイドポスト６の近傍箇所に進入したときに、抹消した固定ガイドポスト６の元の立設箇所に可動ガイドポスト６１が配備されるようになっているので、テンションポスト７と可動ガイドポスト６１との位置関係が、従来の磁気テープ装置におけるテンションポスト７と固定ガイドポスト６との位置関係と同様になるので、磁気テープＴにテンションを付与する機能が従来と同様に適切に発揮される。
【００２２】
　図２はスライダ９についての可動ガイドポスト６１の立設箇所を示している。この事例では、スライダ９を合成樹脂成形体とし、可動ガイドポスト６１をそのスライダ９と一体に成形してある。こうしておくと、単体部品としての可動ガイドポストが不要になる。また、図２の事例では、可動ガイドポスト６１に、環状の段付面６２を形成してあり、この段付面６２によって、セット位置に搬入されたテープカセット１から引き出された磁気テープＴの走行路を規制することができるようになっている。そのため、可動ガイドポスト６１によって磁気テープＴの走行路を規制する作用が発揮され、磁気テープＴの走行安定性がいっそう向上する。なお、図２には、可動ガイドポスト６１の段付面６２によって走行路が規制されている磁気テープＴを仮想線で示してある。
【００２３】
　図３はスライダ９についての可動ガイドポスト６１の立設箇所を示した変形例である。この事例では、スライダ９を合成樹脂成形体としているのに対し、可動ガイドポスト６１を金属製の単体部品としてスライダ９に付加してある。なお、図例では、可動ガイドポスト６１をインサートによってスライダ９に付加してあるけれども、この点は、可動ガイドポスト６１をスライダ９にビス止めしても、加締め結合しても、その他の結合手段を採用してもよい。なお、この事例では、磁気テープの走行路を規制する段付面６２を、突出片９２の表面９２ａによって形成することにより、可動ガイドポスト６１自体から段付面を無くしている。このようにすると、可動ガイドポスト６１の形状が単純化されてその価格が安くつく。
【図面の簡単な説明】
【００２４】
【図１】本考案に係る磁気テープ装置の概略構成を示した説明図である。
【図２】スライダについての可動ガイドポストの立設箇所を示した斜視図である。
【図３】スライダについての可動ガイドポストの立設箇所を示した変形例である。
【図４】磁気テープ装置の概略構成を示した説明図である。
【図５】従来の磁気テープ装置の要部を概略的に示した平面図である。
【符号の説明】
【００２５】
　１　テープカセット
　６　固定ガイドポスト
　７　テンションポスト
　８　シャーシ
　９　スライダー
　６１　可動ガイドポスト
　６２　段付面
　９２　突出片
　Ｔ　磁気テープ
【図１】
0003099768.tif 000003
【図２】
0003099768.tif 000004
【図３】
0003099768.tif 000005
【図４】
0003099768.tif 000006
【図５】
0003099768.tif 000007